(57)【特許請求の範囲】
【請求項１】
加熱用容器に入れて加熱することで香料を揮散させる液状芳香剤組成物であって、水及び香料が非イオン性界面活性剤によって混和され、曇点が５０〜７０℃に調整されたことを特徴とする液状芳香剤組成物。
【請求項２】
請求項１記載の液状芳香剤組成物を加熱用容器に入れ、前記加熱用容器を加熱することにより、前記液状芳香剤組成物を非イオン性界面活性剤の曇点温度以上に加熱し、液状芳香剤組成物から香料を分離浮上させた状態で、香料を空気中に揮散させることを特徴とする液状芳香剤組成物の使用方法。
【発明の詳細な説明】
【０００１】
【発明の属する技術分野】
本発明は、加熱することにより発香させる液状の芳香剤組成物に関するものである。
【０００２】
【従来の技術】
従来から液状の香料を発香させる１つの方法として、加熱用容器に水を入れ、そこに油性香料を滴下して水面に浮遊させ、キャンドル、電球あるいはヒーター等で加熱用容器を下方から加熱し、水を介して間接的に香料を加熱し発香させる方法が知られている。
【０００３】
上記方法を用いた場合、香料は熱水（７０℃程度）を介して加熱されるため、過熱されるおそれが少なく安全性が高いという効果を奏する。
【０００４】
【発明が解決しようとする課題】
しかし、上記方法においては、加熱用容器に水を入れたり、適度な香りを得るために添加する香料の量を調整する手間がかかる上、使用者が誤って香料を直接容器に滴下してしまうと香料が１００℃以上の高温で熱せられ、発火するおそれが生じるという問題があった。
【０００５】
上記問題を解決する手段として、香料と水とを予め混合した液状芳香剤組成物を使用することも考えられるが、単に両者を配合しただけでは相分離が生じるため、液状芳香剤組成物から使用に応じた量を分取する場合に、分取した液中に含まれる香料量にバラツキが生じ、香りが強すぎたり、逆に弱すぎたりすることになる。
【０００６】
他の解決手段として、一般に市販されている液状芳香剤を使用することも考えられるが、この種の液状芳香剤は、通常、香料の均一な揮散性及び長期安定性を考慮して、香料を水に溶解あるいは乳化させた形態が採用されており、芳香剤は常に均一な状態となっている。
【０００７】
したがって、上記液状芳香剤の一部を分取して加熱用容器に入れて加熱する場合、分取液中に含まれる香料の量は一定にすることが可能であるが、香料が水中に溶解又は乳化されているために、香料が水から分離浮上した状態に比べて発香性（香り立ち）が極端に悪く、加熱して発香させる製品としては成り立たないというのが現状であった。
【０００８】
そこで、本発明においては、加熱して発香させる液状芳香剤組成物であって、安全で利便性が高く、発香性（香り立ち）の良好な液状芳香剤組成物及びその発香方法を提供することを目的とする。
【０００９】
【課題を解決するための手段】
上記目的を解決するため、本発明に係る液状芳香剤組成物は、加熱用容器に入れて加熱することで香料を揮散させるものであって、水及び香料が非イオン性界面活性剤によって混和され、曇点が５０〜７０℃に調整されたことを特徴とするものである。
【００１０】
非イオン性界面活性剤は、高温になるほど水に対する溶解性が減少し、ある温度（曇点）に達すると水から析出し、濁りを生じることが知られている。したがって、上記構成の液状芳香剤組成物を曇点以上に加熱すると、非イオン性界面活性剤が組成物から析出分離し、それによって香料も組成物から分離浮上し、空気中に直接揮散するようになるため、香り立ちに優れた液状芳香剤組成物を提供することができる。
【００１１】
ここで、水と香料を混和するとは、両者を均一によく混ぜ合わされた状態にすることを意味し、香料が完全に水に可溶化された状態は勿論のこと、乳化された状態であってもよい。
【００１２】
また、香料としては、具体的に、ラベンダー、レモン、オレンジ、ペパーミント、ジャスミン等の天然香料、リモネン、ターピノレン、ゲラニオール、シトロネロール、酢酸エチル等の合成香料、又はこれらをブレンドした調合香料等が挙げられるが、少なくとも一部に油性香料が使用されており、水に滴下したときにその油性香料が水面に浮遊するものであればよい。
【００１３】
すなわち、香料として油性香料とアルコール系香料のような水溶性香料とを併用することも可能であり、この場合、水溶性香料は、主として水相中に存在することになる。したがって、液状芳香剤組成物を加熱すると、加熱初期には先ず、水相から分離浮上した油性香料が香り立ち、その後、水相中から水溶性香料が徐々に空気中に揮散することで油性香料と相俟って深みのある香りを提供することが可能となる。
【００１４】
上記香料は、原液をそのまま単独で使用してもよいし、適当な溶剤で希釈したものを使用することも可能である。特に溶剤として親油性の高い溶剤を添加すれば、水との分離性が良好で、香り立ちのよい液状芳香剤組成物を提供することが可能となる。
【００１５】
非イオン性界面活性剤の種類としては、特に限定なく１種でも２種以上を混合して使用することも可能であるが、非イオン性界面活性剤の曇点が５０〜７０℃であることが好ましい。曇点が５０℃未満では液状芳香剤組成物が搬送中に高温下に置かれた場合に、香料が分離しやすく安全性の問題が生じ、また、曇点が７０℃を越えると、実際の使用時に香料が分離しにくく発香性（香り立ち）が悪くなるからである。
【００１６】
本発明において使用される非イオン性界面活性剤としては、高級アルコールエチレンオキサイド付加物、アルキルフエノ一ルエチレンオキサイド付加物、脂肪酸エチレンオキサイド付加物、多価アルコール脂肪酸エステルエチレンオキサイド付加物、高級アルキルアミンエチレンオキサイド付加物、脂肪酸アルカノ一ルアミドエチレンオキサイド付加物、油脂のエチレンオキサイド付加物、エチレンオキサイド・プロピレンオキサイドのブロック共重合体、エチレンオキサイド・プロピレンオキサイド・ブチレンオキサイド共重合体、グリセロールの脂肪酸エステル、ベンタエリスリトールの脂肪酸エステル、ソルビトールの脂肪酸エステル、ソルビタンの脂肪酸エステル、シヨ糖の脂肪酸エステル、多価アルコールのアルキルエーテル、アルカノ一ルアミン類の脂肪酸アミド、さらに高級アルコール、アルキルフェノ一ル、脂肪酸、多価アルコール、高級アルキルアミン、脂肪酸アミド、油脂又は脂肪酸アルカノ一ルアミド等の活性水素含有化合物にブチレンオキサイド及び／又はプロピレンオキサイドをブロック付加重合し、次いでエチレンオキサイドを付加重合した共重合体などが挙げられるが、これらに限定されるものではない。
【００１７】
さらに、非イオン性界面活性剤の曇点以上に加熱したときに液状芳香剤組成物中の香料の分離浮上を妨げない範囲で、イオン性界面活性剤を併用することも可能である。
【００１８】
上記構成の液状芳香剤組成物を使用すれば、香料をあらかじめ水に混和するため、加熱用容器内に水を入れ忘れるおそれがない。また、液状芳香剤組成物を分取した際に、分取液中の香料濃度が常に一定に保たれるため、香料量を調整する手間が省けるという効果を奏する。さらに、混和された状態では香料は直接空気と接触しないために酸化されにくく、安定性に優れた液状芳香剤組成物を得ることが可能となる。
【００１９】
【実施例】
以下、本発明に係る液状芳香剤組成物を実施例を挙げてさらに詳細に説明するが、本発明はこれら実施例に限定されるものではない。
【００２０】
［実施例１］
表１に示す割合で、油性の柑橘系香料（エタノール５０重量％溶液）、水及びポリオキシエチレンセカンダリーアルキルエーテル型非イオン性界面活性剤（三洋化成社製；曇点温度６３℃→活性剤▲１▼）を配合し、香料が水に完全に溶解した液状芳香剤組成物を得た。なお、表中、「％」とあるのは、重量％を意味するものである。
【００２１】
［実施例２］
非イオン性界面活性剤として、ポリオキシエチレンセカンダリーアルキルエーテル型非イオン性界面活性剤（三洋化成社製；曇点温度５６℃→活性剤▲２▼）を使用した以外は実施例１と同様にして香料が水に均一に乳化した状態の液状芳香剤組成物を得た。
【００２２】
［比較例１］
界面活性剤としてスルホン酸塩型陰イオン性界面活性剤（松本油脂製薬社製→活性剤▲３▼）を使用した以外は実施例１と同様にして香料が水に完全に溶解した液状芳香剤組成物を得た。
【００２３】
［比較例２］
界面活性剤としてポリオキシエチレンセカンダリーアルキルエーテル型非イオン性界面活性剤（曇点温度８０℃→活性剤▲４▼）を使用した以外は実施例１と同様にして香料が水に完全に溶解した液状芳香剤組成物を得た。
【００２４】
［発香性試験］
上記実施例１、２及び比較例１、２でそれぞれ１００ｇの液状芳香剤組成物を調製し、そのうち４ｇを分取して加熱用容器に入れ、一定条件で加熱した。液状芳香剤組成物は、加熱開始から１０分経過後に液温７０℃に達し、以後、７０℃を維持するようにした。このとき、実施例１、２で得られた液状芳香剤組成物の状態の変化を図１に示す。
【００２５】
加熱前には図１（ａ）のごとく、香料が水に均一に溶解あるいは乳化した状態であった液状芳香剤組成物１が、図１（ｂ）で加熱によって液温が曇点に達すると次第に組成物１から非イオン性界面活性剤２が析出し、それに従って香料３と水４とが分離し、最終的に香料３が水４に浮上した状態となった。
【００２６】
このようにして得られた液状芳香剤組成物について、夫々発香性の評価を行った。発香性の評価は、官能試験により香り強度を評価することにより行った。具体的には、６畳の広さの部屋に被試者に待機してもらい、液状芳香剤組成物を上記加熱条件で加熱して、加熱開始から３分後、１０分後（７０℃到達時）及び２０分後における香り強度を点数化してもらうことで官能試験を実施した。評価は以下の６段階評価方法を採用した。すなわち、本試験においては、加熱開始から短時間のうちに香り強度が高くなるものほど発香性が優れていることになる。
【００２７】
５…強い
４…やや強い
３…丁度よい
２…やや弱い
１…弱い
０…匂わない
なお、評価に際しては、実施例１で調製した液状芳香剤組成物４ｇに理論上含まれる香料の量３０ｍｇ（４ｇ×０．００７５）を算出し、この香料を水３．９７ｇに直接滴下したものを基準試料として調製（合計４ｇになるように水量を調整）し、この試料を基準に他の液状芳香剤組成物の発香性を評価した。これらの評価結果を表１に示す。
【００２８】
表１から明らかなように、実施例１及び２で得られた液状芳香剤組成物は、基準試料と同等の優れた発香性を示しているのに対し、比較例１で得られた液状芳香剤組成物は、加熱しても香料が分離せず、発香性が極端に低下し、液状芳香剤組成物としては実用性に乏しいことが判る。また、比較例２で得られた液状芳香剤組成物についても、曇点が高いため香料が分離せず、比較例１同様に発香性が低く、実用性に乏しいということが明らかとなった。
【００２９】
【表１】
0004527218.tif 000002
【００３０】
【発明の効果】
以上の説明から明らかなように、本発明によると、水および香料が非イオン性界面活性剤によって混和され、曇点が５０〜７０℃に調整されたことにより、安全性が高く、また、香料量を調整する手間が不要である等の利便性に優れ、かつ加熱時の発香性の良好な液状芳香剤組成物を得ることができる。
【図面の簡単な説明】
【図１】加熱による液状芳香剤組成物の状態の変化を示す図で、（ａ）は加熱前の状態を、（ｂ）は加熱後の状態をそれぞれ示す。
【符号の説明】
１        液状芳香剤組成物
２        非イオン性界面活性剤
３        香料
４        水
【図１】
0004527218.tif 000003